(57)【要約】  クラスＩＩの不正咬合を治療するのに用いることができる歯科矯正装置は、可動な回転軸を有する１つ以上の回転継手と、少なくとも２つの往復運動ロッドを備える伸長アセンブリとを備える。装置は、伸縮性であるか又は伸縮性のものとすることができ、最小限の形態変更で、例えば反転させることにより、更なる治療に用いることができることが有利である。【選択図】図１Ａ
2019531148.tif 000002
【特許請求の範囲】
【請求項１】
非伸縮性歯科矯正装置であって、
該装置を上顎大臼歯に取り付ける第１の取付け具と、
該装置を下顎大臼歯に取り付ける第２の取付け具と、
第１のヒンジによって前記第１の取付け具に接続され、第２のヒンジによって前記第２の取付け具に接続される伸長アセンブリと、
を備え、
少なくとも前記第１のヒンジは、軸周りの回転をもたらし、前記軸は、前記第１の取付け具に対して可動であり、
前記伸長アセンブリは、互いに対して往復運動するとともに、互いに取り付けられるように構成された２つのロッドを備え、前記伸長アセンブリは、該伸長アセンブリが第１の所定位置を越えて伸長することを防ぐとともに、該伸長アセンブリが第２の所定位置を越えて収縮することを防ぐ少なくとも１つのストッパーを更に備える、非伸縮性歯科矯正装置。
【請求項２】
前記伸長アセンブリは、前記２つのロッドのそれぞれの端部に取り付けられる２つのカラーを備え、該カラーは、前記ストッパーを提供し、前記伸長アセンブリは、前記カラー間に取り付けられたばねを受けるように適合される、請求項１に記載の歯科矯正装置。
【請求項３】
前記ストッパーは、前記２つのカラー及び２つのアンカープレートによって提供される、請求項２に記載の歯科矯正装置。
【請求項４】
前記伸長アセンブリは、前記カラーのうちの一方と前記第１のヒンジとの間に取り付けられたばねを受けるように適合された、請求項２又は３に記載の歯科矯正装置。
【請求項５】
前記伸長アセンブリの前記２つのロッドは、該ロッドの往復運動を可能にするように互いに係合する、請求項１〜４のいずれか１項に記載の歯科矯正装置。
【請求項６】
前記伸長アセンブリの前記２つのロッドは、互いに係合するように形成される、請求項５に記載の歯科矯正装置。
【請求項７】
前記２つのロッドは、タング対溝接合によって互いに係合し、前記タングは、前記ロッドのうちの一方において長さ方向に形成され、前記溝は、前記ロッドのうちの他方において長さ方向に形成される、請求項６に記載の歯科矯正装置。
【請求項８】
前記ロッドは、該ロッドのうちの一方に取り付けられたピンと、該ロッドのうちのもう一方に形成された細長い空隙とによって互いに係合し、前記ピンは、前記ロッドの往復運動を可能にするように、前記空隙に配置されるようになっている、請求項５〜７のいずれか１項に記載の歯科矯正装置。
【請求項９】
前記ロッドは、湾曲している、請求項１〜８のいずれか１項に記載の歯科矯正装置。
【請求項１０】
前記伸長アセンブリは、３つのロッドを備え、該ロッドは、往復運動を可能にするように互いに係合する、請求項１〜９のいずれか１項に記載の歯科矯正装置。
【請求項１１】
第１のロッドは、第２のロッドに係合し、該第２のロッドは、第３のロッドに係合する、請求項１０に記載の歯科矯正装置。
【請求項１２】
前記ロッドは、タング対溝接合によって係合する、請求項１１に記載の歯科矯正装置。
【請求項１３】
前記ロッドは、対応する空隙に配置されたピンによって係合する、請求項１１に記載の歯科矯正装置。
【請求項１４】
前記第１のヒンジは、フレイル継手を備える、請求項１〜１３のいずれか１項に記載の歯科矯正装置。
【請求項１５】
前記フレイル継手は、前記第１の取付け具及び前記伸長アセンブリに形成された空隙に取り付けられるトーラス部を備える、請求項１０に記載の歯科矯正装置。
【請求項１６】
前記トーラス部は、該トーラス部に対して前記空隙のうちの１つの動きを制限する拡大部分を有する、請求項１０に記載の歯科矯正装置。
【請求項１７】
前記第２のヒンジは、前記伸長アセンブリに形成された空隙に取り付けられるボールピンを備え、前記空隙は、前記ボールピンのピン部分の直径よりも大きいため、前記第２の取付け具の横方向の動き及び前記伸長アセンブリに対する枢動を可能にする、請求項１〜１６のいずれか１項に記載の歯科矯正装置。
【請求項１８】
前記第２の取付け具が上顎犬歯に取り付けられ、前記第１の取付け具が下顎大臼歯に取り付けられるように反転可能である、請求項１〜１７のいずれか１項に記載の歯科矯正装置。
【請求項１９】
請求項１〜１８のいずれか１項に記載の歯科矯正装置の特徴を有し、ばねを更に備える、伸縮性歯科矯正装置。
【請求項２０】
前記ばねは、２つのカラー間、又はカラーとアンカープレートとの間に配置される、請求項１９に記載の歯科矯正装置。
【請求項２１】
上歯を後方に動かすことと、
下顎を前進させることと、
の群のうちの任意の１つ以上の使用に好適である、請求項１〜２０のいずれか１項に記載の歯科矯正装置。
【請求項２２】
第１の形態において、上歯を後方に動かすことと下顎を前進させることとに好適であり、第２の形態において、下顎を更に前進させることに好適である、請求項２１に記載の歯科矯正装置。
【発明の詳細な説明】
【技術分野】
【０００１】
本発明の実施形態は、歯科矯正装置に関する。更なる実施形態は、対応する方法に及ぶ。
【背景技術】
【０００２】
クラスＩＩ及びＩＩＩの不正咬合の治療のための歯科矯正器具には、様々なタイプが挙げられる。これらの器具のうちのいくつかは、下顎大臼歯の付近で、遠位端部が上顎犬歯付近のストランドに接続された状態で接続される。しかし、このような器具は、見た目が良くないという不都合を被る。したがって、器具を下顎大臼歯と上顎大臼歯との間に取り付けることが、器具の見えやすさが低減されることから好ましい。
【０００３】
上顎大臼歯と下顎大臼歯との間に取り付けられる装置として、伸縮性及び非伸縮性の２つのタイプが挙げられる。伸縮性タイプは、付勢力を与えるばね又は伸縮性材料を備える。そのような装置の一例は、特許文献１に開示されている。しかしながら、そのような伸縮性装置は、ばね又は伸縮性材料が劣化することにより経時的に一定しない付勢力をもたらすという不都合を被る。さらに、ばねは、患者に著しい不快感を与える可能性がある。
【０００４】
特許文献２に開示されているような、クラスＩＩ及びＩＩＩの不正咬合の治療のための非伸縮性の歯科矯正装置が既知であるが、この装置及び当該技術分野において開示されている同様の装置は、剛性であり、したがって、下顎の自然な動きに適応しないため、著しい不快感にもつながり得るという不都合を被る。
【０００５】
既知の非伸縮性の臼歯間装置の更なる顕著な不都合点は、全体の長さにある。機械的及び美観的な理由から、長さを低減することが望ましいが、これらの装置はそれでも、特定の不正咬合を治療するのに必要なてこ作用を与えることが必須である。
【先行技術文献】
【特許文献】
【０００６】
【特許文献１】国際公開第２０１６／０８５６０６号
【特許文献２】米国特許出願公開第２００７／０２２４５６７号
【発明の概要】
【０００７】
本発明の第１の態様によれば、非伸縮性歯科矯正装置であって、
該装置を上顎大臼歯に取り付ける第１の取付け具と、
該装置を下顎大臼歯に取り付ける第２の取付け具と、
第１のヒンジによって前記第１の取付け具に接続され、第２のヒンジによって前記第２の取付け具に接続される伸長アセンブリと、
を備え、
少なくとも前記第１のヒンジは、軸周りの回転をもたらし、前記軸は、前記第１の取付け具に対して可動であり、
前記伸長アセンブリは、互いに対して往復運動するとともに、互いに取り付けられるように構成された２つのロッドを備え、前記伸長アセンブリは、該伸長アセンブリが第１の所定位置を越えて伸長することを防ぐとともに、該伸長アセンブリが第２の所定位置を越えて収縮することを防ぐ少なくとも１つのストッパーを更に備える、非伸縮性歯科矯正装置が提供される。
【０００８】
前記伸長アセンブリは、前記２つのロッドのそれぞれの端部に取り付けられる２つのカラーを備えることができ、該カラーは、前記ストッパーを提供し、前記伸長アセンブリは、前記カラー間に取り付けられたばねを受けるように適合される。
【０００９】
前記ストッパーは、前記２つのカラー及び２つのアンカープレートによって提供することができる。
【００１０】
前記伸長アセンブリは、前記カラーのうちの一方と前記第１のヒンジとの間に取り付けられたばねを受けるように適合することができる。
【００１１】
前記伸長アセンブリの前記２つのロッドは、該ロッドの往復運動を可能にするように互いに係合することができる。
【００１２】
前記伸長アセンブリの前記２つのロッドは、互いに係合するように形成することができる。
【００１３】
前記２つのロッドは、タング対溝（tongue-and-groove：さねはぎ）接合によって互いに係合することができ、前記タングは、前記ロッドのうちの一方において長さ方向に形成され、前記溝は、前記ロッドのうちの他方において長さ方向に形成される。
【００１４】
前記ロッドは、該ロッドのうちの一方に取り付けられたピンと、該ロッドのうちのもう一方に形成された細長い空隙とによって互いに係合することができ、前記ピンは、前記ロッドの往復運動を可能にするように、前記空隙に配置することができる。
【００１５】
前記ロッドは、湾曲することができる。
【００１６】
前記伸長アセンブリは、３つのロッドを備えることができる。該ロッドは、往復運動を可能にするように互いに係合することができる。
【００１７】
第１のロッドは、第２のロッドに係合することができる。該第２のロッドは、第３のロッドに係合することができる。
【００１８】
前記ロッドは、タング対溝接合によって係合することができる。
【００１９】
前記ロッドは、対応する空隙に配置されたピンによって係合することができる。
【００２０】
前記第１のヒンジは、フレイル継手（flail joint：揺動継手）を備えることができる。
【００２１】
前記フレイル継手は、前記第１の取付け具及び前記伸長アセンブリに形成された空隙に取り付けられるトーラス部を備える。
【００２２】
前記トーラス部は、該トーラス部に対して前記空隙のうちの１つの動きを制限する拡大部分を有することができる。
【００２３】
前記第２のヒンジは、前記伸長アセンブリに形成された空隙に取り付けられるボールピンを備えることができる。前記空隙は、前記ボールピンのピン部分の直径よりも大きいため、前記第２の取付け具の横方向の動き及び前記伸長アセンブリに対する枢動を可能にすることができる。
【００２４】
前記歯科矯正装置は、前記第２の取付け具を上顎犬歯に取り付けることができ、前記第１の取付け具を下顎大臼歯に取り付けることができるように反転可能とすることができる。
【００２５】
本発明の第２の態様によれば、本発明の第１の態様に係る歯科矯正装置を含む伸縮性の歯科矯正装置が提供される。伸縮性の歯科矯正装置は、ばねを更に備えることができる。
【００２６】
前記ばねは、２つのカラー間、又はカラーとアンカープレートとの間に配置することができる。
【００２７】
前記歯科矯正装置は、
上歯を後方に動かすことと、
下顎を前進させることと、
からなる群のうちの任意の１つ以上の使用に好適とすることができる。
【００２８】
前記歯科矯正装置は、第１の形態において、上歯を後方に動かすことと下顎を前進させることとに好適とすることができる。前記歯科矯正装置は、第２の形態において、下顎を更に前進させることに好適とすることができる。
【００２９】
本発明の実施形態は、添付の概略図を参照して記載される。
【図面の簡単な説明】
【００３０】
【図１】第１の実施形態に係る歯科矯正装置を示す図である。
【図２】異なる形態における図１の歯科矯正装置を示す図である。
【図３】異なる形態における図１の歯科矯正装置を示す図である。
【図４】異なる形態における図１の歯科矯正装置を示す図である。
【図５】本発明の実施形態の伸長アセンブリのロッド構成における変形形態を示す図である。
【図６】本発明の実施形態の伸長アセンブリのロッド構成における変形形態を示す図である。
【図７】本発明の実施形態の伸長アセンブリのロッド構成における変形形態を示す図である。
【図８】本発明の実施形態の伸長アセンブリのロッド構成における変形形態を示す図である。
【図９】本発明の実施形態の伸長アセンブリのロッド構成における変形形態を示す図である。
【図１０】本発明の実施形態の伸長アセンブリのロッド構成における変形形態を示す図である。
【発明を実施するための形態】
【００３１】
図１は、本発明の一実施形態に係る非伸縮性歯科矯正装置１０を示している。本明細書において用いられる場合、「非伸縮性」という用語は、最も基本的な形態において、治療的使用を与えるための付勢力をもたらす伸縮性材料、ばね、又は他の手段を用いることが必要とされない歯科矯正装置を意味する。ただし、これは、付勢力をもたらすばね又は他の手段を必要に応じて含み得る装置を除外しない。
【００３２】
歯科矯正装置１０は、それぞれ上顎大臼歯及び下顎大臼歯に取り付けられる臼歯バンド１２及び１８を備える。臼歯バンド１２は、ピン１６によってアンカープレート１４に取り付けられる。アンカープレート１４は、フレイル継手２０に対する固定具を形成する。フレイル継手２０は、アンカープレート１４に形成された空隙２４内に配置されるトーラス部２２を更に備える。トーラス部２２は、第２のアンカープレート３０に形成された空隙３２内に更に配置される。
【００３３】
アンカープレート３０は、以下に更に詳細に記載される伸長アセンブリ５０の一部を形成する。
【００３４】
トーラス部２２は、セクション２２Ｂに比べて拡大された半径を有するセクション２２Ａを有する。セクション２２Ｂは、それぞれのアンカープレート１４及び３０に形成された空隙２４及び３２内に嵌まるような寸法になっている。
【００３５】
したがって、フレイル継手２０は、臼歯バンド１２と伸長アセンブリ５０との間の制限された動きを可能にする。さらに、空隙２４及び３２は、トーラス部２２とアンカープレート１４及び３０との間に或る程度の遊びを許容するように形成されているため、フレイル継手２０は、アンカープレート１４とアンカープレート３０との間で回転軸の動きを可能にする。
【００３６】
伸長アセンブリ５０は、第１の伸長ロッド５２に取り付けられたアンカープレート３０を備える。伸長ロッド５２は、カラー５４に取り付けられ、第２のカラー５６内に位置付けられる。伸長ロッド５２は、カラー５４に取り付けられるが、カラー５６に対して可動である。カラー５６は、更なる伸長ロッド５８に取り付けられ、この更なる伸長ロッド５８は、同様に、カラー５４に対して自由に動くが、カラー５６に取り付けられる。
【００３７】
カラー５４及び５６は、伸長アセンブリが所定位置を越えて伸長することを防止するストッパーとして機能する。さらに、アンカープレート３０及び６０を伴うことで、カラー５４及び５６は、伸長アセンブリが所定位置を越えて収縮することを防止する。
【００３８】
伸長ロッド５２及び５８は、図示の構成では、患者の顎の開閉時に互いに対して往復運動する半円形ロッド（Ｄ字形断面を有する）である。
【００３９】
伸長ロッド５８は、アンカープレート６０に取り付けられ、アンカープレート６０上に形成された空隙６２を通る。第２の空隙６４がアンカープレート６０に形成され、接続ロッド７０が空隙６４内に配置される。ロッド７０及び５８の端部に形成されたそれぞれの頭部７２及び７４は、これらのロッドがアンカープレート６０から係脱することを防止する。空隙６４がロッド７０の直径よりも大きいことにより、アンカープレート６０に対するロッド７０の或る特定の運動自由度を可能にすることに留意されたい。これに関して、ロッド５８、アンカープレート６０、及びロッド７０は、制限された回転を可能にするとともに、顎の互いに対する横移動に適応する回転軸の動きを許容する更なるフレイル継手を形成する。
【００４０】
本発明の実施形態は、回転軸の動きを可能にする回転継手と併せて記載された伸長アセンブリを用いて、治療の有効性に影響を与えることなく歯科矯正装置の全長の低減を確実にすることに役立つ。さらに、これらの要素は、装置の全長を小さく保つことにより、美観的な影響の制限を確実にするのに役立つ。
【００４１】
図１Ｂは、患者の口が閉じられているときの形態における歯科矯正装置１０を示している。図示のように、全長は、比較的小さく保たれている。加えて、回転継手の運動自由度に起因して、多くの従来技術の装置よりも患者に対する不快感が低減される。
【００４２】
本発明の実施形態の更なる利点は、同じ装置を、異なる治療及び異なる形態で用いることができることである。また、同じ装置を、伸縮性歯科矯正装置としても用いることができることが有利である。
【００４３】
図２Ａは、本発明の更なる一実施形態に係る歯科矯正装置１００を示している。装置１００は、装置１０と同様であるが、カラー５４及び５６間に位置付けられるばね９０の追加を伴う。図２Ａは、歯科矯正装置１００を示し、患者の口が閉じているときにとる向きを示している。
【００４４】
図２Ｂは、歯科矯正装置１００を、患者の口が開いているときにとる向きで示している。
【００４５】
本発明の実施形態は、様々な治療レジームに用いることができることが有利である。上述した図１及び図２に示されている装置は、クラスＩＩの不正咬合の治療に用いることができる。ただし、同じ装置を反転形態で用いることができる。
【００４６】
図３Ａは、歯科矯正装置１２０を示している。装置１２０は、図１の装置１０と同様であり、同じ参照符号は、同じ構成要素を指すのに用いられている。装置１２０は、臼歯バンド１８及びロッド７０が省かれている点で、図１の装置１０とは異なる。アンカープレート６０の空隙６４は、代わりに、ブラケット１３２を用いて患者の歯に取り付けられる歯科矯正ブレースの一部を形成するバンド１３０に取り付けられる。
【００４７】
この形態では、装置は、犬歯の遠心移動（distalisation）（すなわち、犬歯を後方に移動すること）と下顎の前進とを同時にもたらすことによって、クラスＩＩの不正咬合を治療するのに用いることができる。図１に示されている装置１０は、最小限の改変で、異なる用途に用いることができることが有利である。或る特定の実施形態において、図３Ａに示されている装置が挿入され、上側前方部分が十分に後ろに移動すると、装置の向きを変え、図１に示されている臼歯バンド１８及びロッド７０を追加し、次いで、装置を上顎大臼歯及び下顎大臼歯に取り付けて、更に下顎の前方移動をもたらすことができる。
【００４８】
図３Ｂは、装置１２０を、使用者の口が閉じているときの向きで示している。
【００４９】
図４Ａは、本発明の更なる一実施形態に係る装置１４０を示している。装置１４０は、図２に示されている装置１００と同様であり、同様の参照符号は、同様の特徴を指すように用いられている。装置１４０は、カラー５６とアンカープレート３０との間にばね１４２が配置されるという点で、装置１００とは異なる。図４Ｂは、装置１４０を、患者の口が閉じているときの向きで示している。
【００５０】
したがって、本発明の実施形態は、ばねを異なる場所に配置することによって異なる力を印加するように容易に適合する一方で、適切な状況では伸縮性歯科矯正装置としてなおも機能することができる。
【００５１】
本発明の実施形態は、下顎の前方位置合わせと、上顎大臼歯の遠心移動と、上下の歯列、特に縦方向の頭骨パターンにおける側方部分の歯の押込みとを組み合わせることが可能である。
【００５２】
記載のように、本発明の実施形態は、従来技術に見られる多くの装置と比べて低減した長さをもたらす。伸長アセンブリの往復運動ロッドは、口が閉じているときに剛性を与えるとともに、口が開いているときに伸長を可能にする。
【００５３】
図１〜図４に示されている構成では、ロッド５２及び５８は、平坦面に沿って往復運動し、剛性及び運動自由度を与える２つの半円形（すなわち、Ｄ字形断面）ロッドを含む。本発明の実施形態は、半円形断面に限定されないことを理解されたい。他の断面形状を用いることもできる。
【００５４】
図５〜図１０は、伸長アセンブリのロッドの代替的な構成を示している。異なる構成を用いて、異なる複雑度に対して考慮されるべき異なる剛性度合いをもたらすことができる。
【００５５】
図５Ａは、タング対溝構成によってロッド２０２に係合するロッド２００を示している。タング２０４は、ロッド２０２に形成される。対応する溝は、ロッド２００に形成される。図５Ｂは、閉鎖構成におけるロッド２００及び２０２を示している。
【００５６】
図６は、ロッド２０４がロッド２０６とともに往復運動する代替的な構成を示している。図６Ｂは、図６Ａに示されている構成の断面における平面図を示している。ロッド２０４及び２０６のそれぞれは、それぞれのピン２０８及び２１０とともに形成される。図６Ａに示されているように、ロッド２０４のピン２０８は、ロッド２０６に形成された細長い空隙２１２内に配置される。図６Ｃは、図６Ａに示されているロッドの平面図である。空隙内に位置するピンは、ストッパーを形成する。
【００５７】
図７Ａは、それぞれのカラー２２４及び２２６が取り付けられた半円形バー２２０及び２２２を示している。半円形バー２２０及び２２２は、図１〜図５を参照して上述されたように、互いに対して往復運動する（図７Ｂに示されている）。
【００５８】
図８は、半円形ロッド２３０及び２３２がそれぞれのカラー２３４及び２３６に取り付けられた代替的な構成を示している。半円形ロッド２３０及び２３２は、湾曲しているが、動作原理は上述したものと同じである。
【００５９】
図９に示されているように、一構成は、タング対溝構成によって互いに係合する３つのバー２４０、２４２、及び２４４を含むことができる。
【００６０】
代替的には、図１０Ａ及び図１０Ｂに示されているように、タング対溝接合及びピン対空隙（pin-and-void）接合の組合せを用いることができる。
【００６１】
本発明の実施形態は、特定の伸長アセンブリを示している。他の構成を代わりに用いることができることを理解されたい。特に、ＰＣＴ出願である国際出願ＰＣＴ／ＥＰ２０１６／０５８５２２号は、伸長アセンブリとして又は本発明の実施形態の他の部分として用いるのに好適ないくつかの構成を開示している。国際出願ＰＣＴ／ＥＰ２０１６／０５８５２２号の開示全体は、引用することによって本明細書の一部をなす。
【図１Ａ】
2019531148.tif 000003
【図１Ｂ】
2019531148.tif 000004
【図２Ａ】
2019531148.tif 000005
【図２Ｂ】
2019531148.tif 000006
【図３Ａ】
2019531148.tif 000007
【図３Ｂ】
2019531148.tif 000008
【図４Ａ】
2019531148.tif 000009
【図４Ｂ】
2019531148.tif 000010
【図５Ａ】
2019531148.tif 000011
【図５Ｂ】
2019531148.tif 000012
【図６Ａ】
2019531148.tif 000013
【図６Ｂ】
2019531148.tif 000014
【図６Ｃ】
2019531148.tif 000015
【図７Ａ】
2019531148.tif 000016
【図７Ｂ】
2019531148.tif 000017
【図８】
2019531148.tif 000018
【図９】
2019531148.tif 000019
【図１０Ａ】
2019531148.tif 000020
【図１０Ｂ】
2019531148.tif 000021
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
非伸縮性歯科矯正装置であって、
該装置を上顎大臼歯に取り付ける第１の取付け具と、
該装置を下顎大臼歯に取り付ける第２の取付け具と、
第１のヒンジによって前記第１の取付け具に接続され、第２のヒンジによって前記第２の取付け具に接続される伸長アセンブリと、
を備え、
少なくとも前記第１のヒンジは、軸周りの回転をもたらし、前記軸は、前記第１の取付け具に対して可動であり、
前記伸長アセンブリは、互いに対して往復運動するとともに、互いに取り付けられるように構成された２つの伸長ロッドを備え、前記伸長アセンブリは、該伸長アセンブリが第１の所定位置を越えて伸長することを防ぐとともに、該伸長アセンブリが第２の所定位置を越えて収縮することを防ぐ少なくとも１つのストッパーを更に備え、
前記伸長アセンブリは、前記２つの伸長ロッドのそれぞれの端部に取り付けられる２つのカラーと、２つのアンカープレートとを備え、前記ストッパーは、前記２つのカラー及び２つのアンカープレートによって提供され、前記第１のアンカープレートは前記第１の伸長ロッドに取り付けられ、前記第２のアンカープレートは前記第２の伸長ロッドに取り付けられる、非伸縮性歯科矯正装置。
【請求項２】
前記伸長アセンブリは、前記カラー間に取り付けられたばねを受けるように適合される、請求項１に記載の歯科矯正装置。
【請求項３】
前記第２の伸長ロッドは、前記第２のアンカープレートに該アンカープレート上に形成された空隙を通って取り付けられる、請求項１または２に記載の歯科矯正装置。
【請求項４】
前記伸長アセンブリは、前記カラーのうちの一方と前記第１のヒンジとの間に取り付けられたばねを受けるように適合された、請求項１〜３のいずれか１項に記載の歯科矯正装置。
【請求項５】
前記伸長アセンブリの前記２つのロッドは、該ロッドの往復運動を可能にするように互いに係合する、請求項１〜４のいずれか１項に記載の歯科矯正装置。
【請求項６】
前記伸長アセンブリの前記２つのロッドは、互いに係合するように形成される、請求項５に記載の歯科矯正装置。
【請求項７】
前記２つのロッドは、タング対溝接合によって互いに係合し、前記タングは、前記ロッドのうちの一方において長さ方向に形成され、前記溝は、前記ロッドのうちの他方において長さ方向に形成される、請求項６に記載の歯科矯正装置。
【請求項８】
前記ロッドは、該ロッドのうちの一方に取り付けられたピンと、該ロッドのうちのもう一方に形成された細長い空隙とによって互いに係合し、前記ピンは、前記ロッドの往復運動を可能にするように、前記空隙に配置されるようになっている、請求項５〜７のいずれか１項に記載の歯科矯正装置。
【請求項９】
前記ロッドは、湾曲している、請求項１〜８のいずれか１項に記載の歯科矯正装置。
【請求項１０】
前記伸長アセンブリは、３つのロッドを備え、該ロッドは、往復運動を可能にするように互いに係合する、請求項１〜９のいずれか１項に記載の歯科矯正装置。
【請求項１１】
第１のロッドは、第２のロッドに係合し、該第２のロッドは、第３のロッドに係合する、請求項１０に記載の歯科矯正装置。
【請求項１２】
前記ロッドは、タング対溝接合によって係合する、請求項１１に記載の歯科矯正装置。
【請求項１３】
前記ロッドは、対応する空隙に配置されたピンによって係合する、請求項１１に記載の歯科矯正装置。
【請求項１４】
前記第１のヒンジは、フレイル継手を備える、請求項１〜１３のいずれか１項に記載の歯科矯正装置。
【請求項１５】
前記フレイル継手は、前記第１の取付け具及び前記伸長アセンブリに形成された空隙に取り付けられるトーラス部を備える、請求項１０に記載の歯科矯正装置。
【請求項１６】
前記トーラス部は、該トーラス部に対して前記空隙のうちの１つの動きを制限する拡大部分を有する、請求項１０に記載の歯科矯正装置。
【請求項１７】
前記第２のヒンジは、前記伸長アセンブリに形成された空隙に取り付けられるボールピンを備え、前記空隙は、前記ボールピンのピン部分の直径よりも大きいため、前記第２の取付け具の横方向の動き及び前記伸長アセンブリに対する枢動を可能にする、請求項１〜１６のいずれか１項に記載の歯科矯正装置。
【請求項１８】
前記第２の取付け具が上顎犬歯に取り付けられ、前記第１の取付け具が下顎大臼歯に取り付けられるように反転可能である、請求項１〜１７のいずれか１項に記載の歯科矯正装置。
【請求項１９】
請求項１〜１８のいずれか１項に記載の歯科矯正装置の特徴を有し、ばねを更に備える、伸縮性歯科矯正装置。
【請求項２０】
前記ばねは、２つのカラー間、又はカラーとアンカープレートとの間に配置される、請求項１９に記載の歯科矯正装置。
【請求項２１】
上歯を後方に動かすことと、
下顎を前進させることと、
の群のうちの任意の１つ以上の使用に好適である、請求項１〜２０のいずれか１項に記載の歯科矯正装置。
【請求項２２】
第１の形態において、上歯を後方に動かすことと下顎を前進させることとに好適であり、第２の形態において、下顎を更に前進させることに好適である、請求項２１に記載の歯科矯正装置。
【国際調査報告】
2019531148.tif 000022
2019531148.tif 000023
2019531148.tif 000024